(57)【特許請求の範囲】
【請求項１】
長形ガラス板４の長さ方向両側を同じ方向へ直角状に折り曲げて連結片５を形成した主建材２と、長形ガラス板６の長さ方向両側を同じ方向へ直角状に折り曲げて連結片７を形成した補助建材３とからなり、補助建材３は主建材２内に設置可能な大きさとするとともに主建材２と補助建材３との間には充填材１２を埋め込み、主建材２の内面に接する補助建材３の連結片７先端部には緩衝材１３を嵌め込んだことを特徴とするガラス製建材。
【請求項２】
長形ガラス板４の長さ方向両側を同じ方向へ直角状に折り曲げて連結片５を形成した主建材２と、長形ガラス板６の長さ方向両側を同じ方向へ直角状に折り曲げて連結片７を形成した主建材２内に設置可能な大きさを有する補助建材３とからなり、主建材２と補助建材３との間には充填材１２を埋め込むとともに主建材２の内面に接する補助建材３の連結片７先端部には緩衝材１３を嵌め込んで形成した建材１を縦長に設置するとともに横方向に連設して上下、左右を枠体１０、１１により連結、固定したことを特徴とする壁構造。
【発明の詳細な説明】
【０００１】
【発明の属する技術分野】
本発明は、ガラス製の建材に関し、特に、建築物の外壁や内装壁、間仕切り壁等に使用して最適なガラス製の建材に関するものである。
【０００２】
【従来の技術】
ビルのような建築物における外壁は、コンクリートやアルミ建材を使用して構築しているものであるが、自然光を屋内に採り入れることができず、また、デザイン的にも優れたものではなかった。そこで、近年、コンクリートやアルミ建材の壁材に変えてガラス製建材を使用して建物の外壁を構築することが行われている。更に、ガラス製建材は、外壁だけではなく内装壁や間仕切り壁等の他の壁構造材としても使用されている。
【０００３】
図３は、従来の壁構造材として使用されているガラス製建材の一例を示すものである。この建材ａは、採光可能で不透視な長形ガラス板ｂの長さ方向両側を同じ方向へ直角状に折り曲げて連結片ｃとしたものであり、全体として偏平なＵ字型の溝形状としてある。
【０００４】
このような建材ａは、図４に示すように、縦長に立設したものを横方向へ順次連設し、この連設した建材ａは上下および左右を枠体ｄ、ｅによって固定し壁構造を構築する。通常は、図５に示すように、建材ａの平面部ｆを屋外に向け、連結片ｃを突設した側を屋内に向けて設置し、隣設する建材ａ間にはシリコーン樹脂やその他の材質からなる充填材ｇを埋め込み、または、嵌め込んで緩衝材とするとともに雨仕舞い処理をしてある。
【０００５】
横方向へは空間の許容範囲で多数枚の建材ａを連設することができ、また、上下方向へ平面垂直状に多数積層することも可能である。従って、建物の一部、例えば、コンクリート壁の一部に建材ａを使用して外壁兼窓を構築することができ、また、建物の周囲全面を建材ａによって覆って外壁を構築することが可能である。しかも、平面壁だけではなく各種の曲線形状の壁構築も可能であり、全体として機能、デザイン性に優れた特徴を有している。しかも、構築作業が容易であり、経済的なメリットが期待できる利点を有している。
【０００６】
【発明が解決しようとする課題】
しかし、上記するガラス製建材ａで構築した外壁は、風圧試験の結果、平面部ｆ側は風圧（正圧）をかけた時、反対側に大きな負圧が生ずるという問題が生じた。即ち、強い風圧によっては平面部ｆに撓みや割れ、ひび割れ等を生じる危険性を有していた。逆に、連結片ｃを有する側は風圧に対して強度を有しているので、こちら側を屋外に向けて外壁を構築することも可能であるが、全体の外観デザインが損なわれるものであった。
【０００７】
そこで、図６に示すように、立設した建材ａの平面部ｆを屋外に向けて横方向に連設して図５の場合と同じく外壁面ａ１を形成するとともに、屋内側にも同じ建材ａを平面部ｆが屋内を向くようにして連接した内壁面ａ２を形成する。そして、外壁面ａ１と内壁面ａ２とは、内外に隣設する建材ａの連結片ｃ相互が掛止状態で重なり合うようにして配設し、二重構造の外壁を構築していた。
【０００８】
このようにすれば風圧に対して全体を強化することができるが、同じ建材ａからなる壁構造を屋外側と屋内側に設置し、両者を向き合わせて連結しなければならないので、構築作業が複雑化し、かつ、壁の全体重量が重くなるという問題を有していた。
【０００９】
本発明は、上記するガラス製建材ａを使用して構築した壁構造の問題点に鑑み、外壁面を構成するガラス製建材内に他のガラス製建材を嵌め込むことにより、風圧に耐えて堅牢性を有し、しかも、構築作業が容易なガラス製建材を提供することを目的とするものである。
【００１０】
【課題を解決するための手段】
上記する目的を達成するために本発明ガラス製建材は、長形ガラス板４の長さ方向両側を同じ方向へ直角状に折り曲げて連結片５を形成した主建材２と、長形ガラス板６の長さ方向両側を同じ方向へ直角状に折り曲げて連結片７を形成した補助建材３とからなり、補助建材３は主建材２内に設置可能な大きさとするとともに主建材２と補助建材３との間には充填材１２を埋め込み、主建材２の内面に接する補助建材３の連結片７先端部には緩衝材１３を嵌め込んだものである。
【００１１】
また、本発明壁構造は、長形ガラス板４の長さ方向両側を同じ方向へ直角状に折り曲げて連結片５を形成した主建材２と、長形ガラス板６の長さ方向両側を同じ方向へ直角状に折り曲げて連結片７を形成した主建材２内に設置可能な大きさを有する補助建材３とからなり、主建材２と補助建材３との間には充填材１２を埋め込むとともに主建材２の内面に接する補助建材３の連結片７先端部には緩衝材１３を嵌め込んで形成した建材１を縦長に設置するとともに横方向に連設して上下、左右を枠体１０、１１により連結、固定したものである。
【００１２】
【発明の実施の形態】
以下、図面に従って、本発明の実施の形態を詳細に説明する。
図１は、本発明に係るガラス製建材の一実施形態を示すものである。この建材１は、主建材２と補助建材３とからなっている。主建材２は、長形なガラス板４の長さ方向両側を同じ方向へ直角状に折り曲げて連結片５を形成したものであり、また、補助建材３は、長形なガラス板６の長さ方向両側を同じ方向へ直角状に折り曲げて連結片７を形成したものである。
【００１３】
主建材２および補助建材３はともに従来の建材と同じ形状であるが、補助建材３は主建材２内に入り得る大きさとなっている。即ち、主建材２と補助建材３の全体の長さは同じであるが、補助建材３の両連結片７の外側巾間隔は、主建材２の両連結片５の内側の巾間隔よりも小さくしてあるので、補助建材３は主建材２内に設置可能となっている。
【００１４】
尚、図示において補助建材３の連結片７の突出長さは、主建材２の連結片５の突出長さよりも小さくして補助建材３全体が主建材２内に入るようにしてあるが、連結片５と連結片７の突出長さを同じとし、補助建材３の平面部８が連結片５よりも外側に位置するようにしてもよい。
【００１５】
本発明ガラス製建材１は上記の構成であり、例えば、建物の外壁を構築する場合には、建物の壁構築箇所において、図２に示すように、主建材２の平面部９を屋外に向けて各建材１を縦方向に立設するとともに横方向へ順次連設し、従来と同じく、建材１の上下および左右を枠体１０、１１によって連結、固定すればよい。
【００１６】
そして、隣接する主建材２間および主建材２と補助建材３との間には、シリコーン樹脂やその他の材質からなる充填材１２を埋め込み、または、嵌め込んでおく。また、主建材２の内面に接する補助建材３の連結片７の先端部にはゴムのような緩衝材１３を嵌め込んでおく。
【００１７】
上記によって建物の外壁が構築されるが、主建材２は補助建材３によって内側から補強されているので、風圧に対して堅牢性を有している。
本発明建材１の用途は外壁に限定されるものではなく屋内の内装壁や仕切り壁、間仕切り壁等としても使用できるものである。尚、上記の説明では主建材２の平面部９を屋外に向けて外壁を構築した場合であるが、補助建材３の平面部８を屋外に向けて壁を構築してもよい。
【００１８】
【発明の効果】
以上、説明した本発明によれば、ガラス製建材１を構成する主建材２の内側には、主建材２よりも小型の補助建材３を設置して主建材２を内側から補強するようにしているので、この建材１により建物の外壁を構築した際、主建材２の平面部９を屋外に向けた時に受ける風圧に対して主建材２の内側に負圧が生ずることはなく、主建材２の平面部９は補助建材３によって強化されているので撓みや割れ、ひび割れ等を生ずることはない。
【００１９】
補助建材３は主建材２内に位置しているので、壁の厚さは主建材１のみで構築した場合と同じであり、補助建材３は主建材２よりも小型であるから、主建材２と補助建材３とで壁を構築しても全体重量が特に重くなるものではなく、強度を有する壁の構築が可能である。
建材１は二重構造であっても採光は可能であり、しかも不透視であるから建物の外壁や内装壁、仕切り壁、間仕切り壁等の壁構造材として最適なものである。
【図面の簡単な説明】
【図１】本発明ガラス製建材の一部を拡大して示す斜視図である。
【図２】本発明ガラス製建材を使用して壁を構築した状態の要部を平面から見た断面図である。
【図３】従来のガラス製建材の斜視図である。
【図４】従来のガラス製建材を使用して構築した壁の正面図である。
【図５】従来のガラス製建材を使用して構築した壁の要部を平面から見た断面図である。
【図６】従来のガラス製建材を使用して構築した他の例を示す壁の要部を平面から見た断面図である。
【符号の説明】
１  建材
２  主建材
３  補助建材
４  ガラス板
５  連結片
６  ガラス板
７  連結片
８  平面部
９  平面部
１０  枠体
１１  枠体
１２  充填材・緩衝材
１３  緩衝材
【図１】
0003671895.tif 000002
【図２】
0003671895.tif 000003
【図３】
0003671895.tif 000004
【図４】
0003671895.tif 000005
【図５】
0003671895.tif 000006
【図６】
0003671895.tif 000007